(57)【要約】【課題】  予定されたとおりの形状に折り紙作品が完成したかどうかを容易に確認できる折り紙用シートを提供しようとするものである。さらに、できあがった作品を遊戯具としても利用可能な折り紙用シートを提供しようとするものである。【解決手段】  折り紙用シートは、表裏を貫通する窓穴が一部に形成された折り曲げ可能なシートと、シートの少なくとも一面側に配置された少なくとも１つのしるしと、を含み、シートにおける窓穴の形成位置及びしるしの配置位置は、造形対象に対応した手順によってシートが折り曲げられたときに、しるしが窓穴内に位置するようになされている。【選択図】図１
2007044248.tif 000002
【特許請求の範囲】
【請求項１】
表裏を貫通する窓穴が一部に形成された折り曲げ可能なシートと、
前記シートの少なくとも一面側に配置された少なくとも１つのしるしと、を含み、
前記シートにおける前記窓穴の形成位置及び前記しるしの配置位置は、造形対象に対応した手順によって前記シートが折り曲げられたときに、前記しるしが前記窓穴内に位置するようになされた、折り紙用シート。
【請求項２】
前記シートの少なくとも一面側に、前記シートの向きを示す目印となるマーカを配置してなる、請求項１に記載の折り紙用シート。
【請求項３】
前記シートの少なくとも一面側に、前記造形対象に対応した折り線を表示してなる、請求項１または２に記載の折り紙用シート。
【請求項４】
前記シートの少なくとも一面側に複数個のしるしを配置してなる、請求項１乃至３のいずれかに記載の折り紙用シート。
【請求項５】
前記シートに、表裏を貫通する窓穴が２以上形成され、
前記造形対象に対応した手順によって前記シートが折り曲げられたとき、前記２以上の全ての窓穴内に前記しるしが位置するようになされた、請求項１乃至４のいずれかに記載の折り紙用シート。
【請求項６】
前記しるしは図柄、数字、記号、または文字を含む、請求項１乃至５のいずれかに記載の折り紙用シート。
【発明の詳細な説明】
【技術分野】
【０００１】
本発明は、折り紙用のシートに関する。
【背景技術】
【０００２】
折り紙は、例えば鶴などの造形対象（テーマ）に対応した所定の手順に従って紙を折り曲げて作品を作り上げるものであり、老若男女が楽しめる。
【０００３】
折り紙を容易に折るための従来技術として、折り紙に折り線を付けたものが知られている（特許文献１）。また、折り紙に数字を付して、折り返し位置等を指定するものが知られている（特許文献２）。また、できあがった折り紙の美観を高めるため、折り紙に打抜穴を設けると共に表面と裏面とを異なる色としたものが知られている（特許文献３）。
【特許文献１】実開昭４９−１０５２９８号公報
【特許文献２】実開昭６３−９３９９８号公報
【特許文献３】実開昭５５−９２３９８号公報
【発明の開示】
【発明が解決しようとする課題】
【０００４】
ところで、折り線や数字を付した折り紙を使用すると、折り曲げるときの目安になるため、折り紙製作者が容易に作品を作成することが可能となる。しかしながら、折り紙を折り曲げていく途中で、きちんと折り目をつけないと、次第に折り位置が合わなくなるため、できあがった作品が予め予定されたとおりに完成しないことがある。このことは、特に複雑な形状の作品を作成するときに顕著となる。
【０００５】
また、折り紙を用いて作成した作品は、観賞して楽しむか、せいぜい箸置き等の実用品として使用される程度である。
【０００６】
本発明は、予定されたとおりの形状に作品が完成したかどうかを容易に確認できる折り紙用シートを提供しようとするものである。さらに、できあがった作品を遊戯具としても利用可能な折り紙用シートを提供しようとするものである。
【課題を解決するための手段】
【０００７】
上記課題を解決するため、本発明の折り紙用シートは、表裏を貫通する窓穴が一部に形成された折り曲げ可能なシートと、シートの少なくとも一面側に配置された少なくとも１つのしるしと、を含み、シートにおける窓穴の形成位置及びしるしの配置位置は、造形対象に対応した手順によってシートが折り曲げられたときに、しるしが窓穴内に位置するようになされたものである。かかる発明によれば、シートを所定の手順に従って折り曲げて完成した作品の窓穴内にしるしが現れるかどうかによって、作品が予定されたとおりに完成したかどうかを、製作者等が容易に確認できる。
【０００８】
好適には、上記折り紙用シートは、シートの少なくとも一面側に、シートの向きを示す目印となるマーカを配置してなる。かかる発明によれば、さらに、製作者がシートの向きを間違えずに折り始めることができるため、窓穴内により確実にしるしが現れるように作業の正確を促すことが可能となる。
【０００９】
また、好適には、上記折り紙用シートは、シートの少なくとも一面側に、造形対象に対応した折り線を表示してなる。かかる発明によれば、さらに、製作者が簡単かつ正確に作品を製作することが可能となる。
【００１０】
さらに好適には、上記折り紙用シートは、シートの少なくとも一面側に複数個のしるしを配置してなる。かかる発明によれば、さらに、作品を製作し終わるまで、窓穴から如何なるしるしが現れるかわからないため、製作者は製作自体を楽しみながら作品を作ることが可能となる。また、作品の窓穴から現れるしるしを用いて、くじや対戦型ゲーム等の遊戯を行うことが可能となる。
【００１１】
また、好適には、上記折り紙用シートは、シートに表裏を貫通する窓穴が２以上形成され、造形対象に対応した手順によってシートが折り曲げられたとき、２以上の全ての窓穴内に前記しるしが位置するようになされる。かかる発明によれば、作品が正確に完成したかどうかをより厳密に確認できる。また、折り紙作品を作成する途中の段階において、特定の窓穴内にしるしが現れるようにすることによって、当該途中段階の手順（折り順、折り方、向き等）の正しさを判断可能とすることができる。さらに、製作した作品をゲーム等の駒として利用すれば、より複雑なルール設定をゲームに施すことが可能となる。
【００１２】
さらに好適には、上記折り紙用シートにおいて、しるしは図柄、数字、記号、または文字を含む。かかる発明によれば、作品の美観を向上させるとともに、作品をゲームの駒として利用する場合には、駒の属性やパワーを示すことが可能となる。
【００１３】
折り紙用シートは、各種の紙類、アルミニウム等の金属箔、プラスチックシート等の素材を使用でき、好ましくは、印刷の可能なものが用いられる。
【００１４】
なお、造形対象とは、折り紙のテーマを意味する。例えば、折り紙で完成すべき鶴などのことである。また、作品とは、折り紙用シートを折り曲げていき完成したものを意味する。
【発明の効果】
【００１５】
本発明の折り紙用シートによれば、予定されたとおりの形状に作品が完成したかどうかを容易に確認することが可能となる。さらに、完成した作品を遊戯具として利用可能という効果を奏し得る。
【実施例１】
【００１６】
以下、本折り紙用シートの実施例について図面を参照しつつ説明する。
【００１７】
図１は、実施例１に係る折り紙用シートの概略図である。図１（Ａ）は、実施例１に係る折り紙用シートの表面を示し、図１（Ｂ）は、折り紙用シートの裏面を示す。図１に示すように、実施例１に係る折り紙用シートは、窓穴２０の開いたシート１０と、しるし３０とにより構成される。
【００１８】
シート１０は、折り紙の用に供せられる折り曲げ可能なシートである。シート１０の材質は、好適には、シート１０を折り曲げたときに折り曲げた状態を維持できる程度のものが望ましい。一般には、色紙や千代紙等の紙からなることが多いが、材質は紙に限定されない。例えば、アルミニウム等の金属箔や、可塑性のプラスチックフィルムや樹脂などを用いてもよい。また、シート１０は単一の材料により構成する必要はなく、複数の材料を使用してもよい。例えば、複数の材料を積層状に張り合わせてもよい。さらに、必要に応じて各種の加工を加えることも可能である。例えば、シートの表面にコーティング加工や鏡面加工を加えてもよい。また、形状は典型的には四角形状であるが、これに限定されない。折り紙の用に供せられるものであればいかなる形状でもよい。
【００１９】
シート１０は、表裏を貫通する窓穴２０が一部に形成され、さらに、一面側に少なくとも１つのしるし３０が配置される。窓穴２０の形成位置としるし３０の配置位置は、造形対象に対応した手順によってシートが折り曲げられたときに、しるし３０が窓穴２０内に位置するようになされている。窓穴２０の形状は任意の形状でよい。また、しるし３０は、図柄、記号、数字、文字、その他任意のしるしを使用できる。なお、図１はシート１０に円形の窓穴２０が開いていて、裏面に羽模様のしるし３０を配置した例を示している。
【００２０】
なお、図１の窓穴２０及びしるし３０の位置は、単に一例を示したものにすぎず、これに限定されない。本発明に係る折り紙用シートは、予めシート１０毎に１又は２以上の造形対象を定めている。そして、当該造形対象に応じて、窓穴２０の形成位置としるし３０の配置位置との相互位置が定まる。作品が正確に完成したときに窓穴２０からしるし３０が現れるような位置関係であれば、窓穴２０及びしるし３０の位置は任意に設定可能である。
【００２１】
次に、上記のように構成される折り紙用シートの使用方法について説明する。
【００２２】
図２は、本発明に係る折り紙用シートを使用する一例として、造形対象がセミの場合を示す図である。図２の各符号は、図１と同一の構成には同じ符号を付している。１０はシート、２０は窓穴、３０はしるしを示す。図２（Ａ）は折り紙用シートの裏面である。まず始めに、同図（Ａ）に示す向きにシート１０を置いて、左右の角ｂ，ｄ方向を折り目として上下の角ａ，ｃを重ね合わせるように折り曲げる。次に、同図（Ｂ）に示すように点線に沿って右の角ｂと左の角ｄを合わせるように折り曲げる。その後、同図（Ｃ）に示すように２つの角ｂ，ｄを点線に沿って斜め下に折り曲げる。次に、同図（Ｄ）に示すように角ｃを下に折り曲げた後、角ａを点線に沿って下に折り曲げる。最後に、同図（Ｅ）に示すように左右を一点鎖線に沿って斜めに後ろに折り返す。すると、同図（Ｆ）に示すようにセミの折り紙作品が完成する。
【００２３】
このように、シート１０を造形対象に対応した手順どおりに折り曲げていくと、できあがった作品は、図２（Ｆ）に示すように、窓穴２０としるし３０とが同じ位置に配置され、窓穴２０からしるし３０が現れる。折り方を間違えた場合や折り方が悪い場合、すなわち、製作者が造形対象に対応した手順どおりにシートを折れなかった場合は、窓穴２０としるし３０との位置がずれてしまい、窓穴２０からしるし３０が現れない。したがって、製作者は、できあがった作品上の窓穴２０からしるし３０が現れているかどうかによって、予定されたとおりの形状に作品が完成したかどうかを確認することができる。
【００２４】
また、折り紙作品を作成する途中の段階において、窓穴２０からしるし３０が現れるように折ることによって、造形対象を正確に作ることが可能となる。例えば、図２（Ｄ）の段階で角ａを下に折り曲げるとき、点線に示すように、上側の角ａと下側の角ｃとで、少しずらして下に折り返す必要がある。このとき、窓穴２０からしるし３０が現れるように折り返すことによって、ずらし幅が最適になるよう折り曲げることができるため、造形対象を正確に作ることが可能となる。結果として、製作者は作品を綺麗に仕上げることができる。
【００２５】
なお、造形対象はセミに限定されず、任意のものを造形対象とすることができる。
【００２６】
以下、本折り紙用シートの別の実施例について説明する。なお、各図面において、同一の符号により示されるものは、同一の構成を示す。
【実施例２】
【００２７】
図３は、実施例２に係る折り紙用シートの概略図である。図３（Ａ）は、シートの表面を示し、図３（Ｂ）は、シートの裏面を示す。図３（Ａ）に示すように、本実施例の折り紙用シートは、実施例１と同様の構成に加え、シート１０の表面にマーカ４０を配置して構成される。
【００２８】
ここで、マーカ４０は、シート１０の向きを示す目印となるものである。例えば、シート１０を造形対象に対応した手順に従って折り始めるとき、シート１０を置く向きの基準となるマークである。例えば、図２に示すような折り図にマーカ４０を記載して、折り始めのマーカ４０の位置を指示しておけば、シート１０をどのような向きに置いて折り始めればよいかを製作者が容易に把握できるため、シートの向きを間違えずに作品を製作することができる。
【００２９】
本折り紙用シートを使用すると、最初の段階で向きを間違えて折り始めると、作品としては一見綺麗にできあがったとしても、窓穴２０からしるし３０が現れない。完成した作品の窓穴２０からしるし３０が現れるようにするためには、所定の向きでシートを折り始める必要がある。そこで、シート１０にマーカ４０を配置することによって、製作者がシートの向きを容易に把握できるようにして、作品の窓穴内により確実にしるしが現れるように作業の正確を促すことが可能となる。なお、図３では、シート１０の表面にマーカ４０を配置する例を示したが、裏面または両面にマーカ４０を配置するものとしてもよい。
【実施例３】
【００３０】
図４は、実施例３に係る折り紙用シートの概略図である。図４（Ａ）は、シートの表面を示し、図４（Ｂ）は、シートの裏面を示す。図４（Ａ）に示すように、本実施例の折り紙用シートは、実施例１と同様の構成に加え、シート１０の表面に折り線５０を表示して構成される。
【００３１】
ここで、折り線５０は、造形対象に対応して表示されるものであり、シートを折り曲げるときの目印となる線である。図４（Ａ）の折り線５０は、造形対象がセミの場合の折り線の例である。造形対象に対応した手順でシート１０を折り曲げるときに、折り線５０に沿って折り曲げることで、簡単かつ正確に作品を作成することができる。なお、図４はシート１０の表面に折り線５０を表示する例を示したが、裏面または両面に折り線５０を表示するものとしてもよい。
【実施例４】
【００３２】
図５は、実施例４に係る折り紙用シートの概略図である。図５（Ａ）は、シートの表面を示し、図５（Ｂ）は、シートの裏面を示す。図５（Ａ）に示すように、本実施例の折り紙用シートは、実施例１と同様の構成に加え、シート１０の表面にマーカ４０を配置し、かつ、折り線５０を表示して構成される。
【００３３】
マーカ４０は実施例２と同様に、シート１０の向きを示す目印となるものであり、折り線５０は実施例３と同様に、造形対象に対応して表示され、シートを折り曲げるときの目印となる線である。これにより、折り始めるときのシート１０の向きを製作者が簡単に把握できるとともに、正確に作品を作成することが可能となる。
【実施例５】
【００３４】
実施例５は、複数個のしるしを折り紙用シートに配置するものである。しるしは、格子状に並べてもよいし、所定の規則に従って並べてもよいし、ランダムに並べてもよい。また、しるしの形状は、図柄、数字、記号、文字、その他任意のしるしを使用できる。
【００３５】
図６は、実施例５に係る折り紙用シートの概略図である。図６（Ａ）乃至（Ｅ）は、シートの裏面を示す。シートの表面は、実施例１乃至４に示すものと同様のものでよい。まと、シートの表面にしるしを配置してもよい。
【００３６】
図６（Ａ）は、複数種の図柄を格子状に並べて配置したものである。同図（Ｂ）は複数種の図柄と数字を組み合わせたものを斜め状に配置したものである。同図（Ｃ）はランダムな数字を格子状に並べて配置したものである。同図（Ｄ）は複数種の図柄と数字をランダムな個所に配置したものである。同図（Ｅ）は複数種の図柄と数字をランダムに選ぶとともに、格子状に並べて配置したものである。
【００３７】
実施例５によれば、たとえ造形対象が同一であっても、窓穴の形成位置としるしの種類及び配置位置との組み合わせによって、完成後の作品の窓穴から現れるしるしに多くのバリエーションを持たせることが可能となる。そのため、作品が完成するまで、窓穴から何れのしるしが現れるか分からないので、製作者は如何なるしるしが現れるかを予想して楽しみながら作品を作ることが可能となる。また、造形対象が同一であっても、異なるしるしが現れ得るので、製作者が多くの作品を作り上げて、作品を収集する誘引となる。
【００３８】
また、複数種のしるしに対してそれぞれ意味を持たせておけば、完成した作品の窓穴から現れるしるしを利用して、くじ、占い、ゲーム等の遊戯を行うことができる。例えば、対戦型ゲームのキャラクタとして作品を利用する場合、作品自体をゲームの駒とすることができ、さらに、窓穴から現れるしるしによって当該キャラクタの属性やパワーレベルを表すことができる。このとき、作品を完成させる難易度に応じて、窓穴から現れるしるしを設定してもよい。
【００３９】
なお、できあがった作品の窓穴内にしるしがずれることなく現れるかどうかによって、作品を正確に完成できたかどうかを確認できることは実施例１などと同様である。
【実施例６】
【００４０】
実施例６は、折り紙用シートに複数個の窓穴を形成するものである。好ましくは、折り紙用シートに形成した窓穴の個数と同数か、それより多い個数のしるしを配置する。ここで、複数個の窓穴の形成位置と、しるしの配置位置は、造形対象に対応した手順によってシートが折り曲げられたときに、複数個の窓穴内にしるしが位置するように設けられている。好ましくは複数個の全ての窓穴からしるしが現れるように、窓穴としるしを配置するとよい。
【００４１】
図７は、実施例６に係る折り紙用シートの概略図である。図７（Ａ）は、シートの表面を示し、図７（Ｂ）は、シートの裏面を示す。図７（Ａ）に示すように、シート１０は窓穴２０が２つ形成されてなり、２つのしるし３０が配置されてなる。ここで、２つの窓穴２０の形成位置と、２つのしるし３０の配置位置は、造形対象に対応した手順によって折り曲げられたときに、２つの窓穴２０内のそれぞれにしるしが位置するように設けられている。したがって、図７に示すシートを用いて、造形対象に対応した手順によって折り曲げていくと、完成した作品は、２つの窓穴のそれぞれにしるしが現れる。なお、必要に応じて、シート１０にマーカを配置したり、折り線を表示したりしてもよい。シート１０の両面にしるしを配置してもよい。
【００４２】
実施例６によれば、作品が正確に完成したかどうかを、複数形成された窓穴を用いてより厳密に確認することが可能となる。また、折り紙作品を製作する途中の段階において、特定の窓穴内にしるしが現れるようにすることによって、当該途中段階の手順の正しさを判断することが可能となる。さらに、１つの作品に対して複数個のしるしが現れ得るため、製作した作品をくじ、占い、ゲーム等に利用する場合、より複雑なルール設定が可能となり、ゲーム性をより高めることができる。
【００４３】
なお、本発明の折り紙用シートは、上記した実施例に限定されるものではなく、本発明の要旨を逸脱しない範囲内において種々変更を加え得るものである。例えば、造形対象は任意であり、作品が正確に完成したときに窓穴からしるしが現れるような位置関係であれば、窓穴及びしるしの位置は任意に設定可能である。
【図面の簡単な説明】
【００４４】
【図１】実施例１に係る折り紙用シートの概略図である。
【図２】折り紙の折り方の一例を示す図である。
【図３】実施例２に係る折り紙用シートの概略図である。
【図４】実施例３に係る折り紙用シートの概略図である。
【図５】実施例４に係る折り紙用シートの概略図である。
【図６】実施例５に係る折り紙用シートの概略図である。
【図７】実施例６に係る折り紙用シートの概略図である。
【符号の説明】
【００４５】
１０  シート
２０  窓穴
３０  しるし
４０  マーカ
５０  折り線
【図１】
2007044248.tif 000003
【図２】
2007044248.tif 000004
【図３】
2007044248.tif 000005
【図４】
2007044248.tif 000006
【図５】
2007044248.tif 000007
【図６】
2007044248.tif 000008
【図７】
2007044248.tif 000009